(57)【要約】【課題】パン生地等の発酵させて冷凍した未焼成の穀物粉含有生地を電子レンジのマイクロ波で焼成するための電子レンジ加熱用容器に関する。【解決手段】  内壁面にマイクロ波により発熱する発熱体を一体に有する容器本体と蓋体とからなり、該蓋体を容器本体に掛止める掛止部とを有しており、容器本体の側壁面に容器本体を展開状に切り開く切り取り線を設けており、前記容器本体の内壁面が発酵し膨張した未焼成の穀物粉含有生地がほぼ隙間無く密着するように形成し、容器本体の内容積が、電子レンジの短時間の加熱で穀物粉含有生地を焼成可能な内容積に設定されていることを特徴とする。【選択図】図１
2013224165.tif 000002
【特許請求の範囲】
【請求項１】
パン生地等を発酵させて冷凍した未焼成の穀物粉含有生地を電子レンジのマイクロ波で焼成するための電子レンジ加熱用容器において、
電子レンジ加熱用容器が、内壁面にマイクロ波により発熱する発熱体を一体に有する容器本体及び該容器本体の開口を開閉する蓋体と、該蓋体を容器本体に拘束する拘束部とを有し、
前記容器本体の側壁面に容器本体を展開状に切り開く切り取り線を設けており、
前記容器本体の内容積が、予め設定した電子レンジの加熱時間で前記穀物粉含有生地が焼成可能な容量に対応するように設定され、 
前記容器本体及び蓋体の内壁面は、容器本体内で発酵し膨張した前記未焼成の穀物粉含有生地を全面を囲繞しほぼ隙間無く密着するように形成されていることを特徴とする電子レンジ加熱用容器。
【請求項２】
電子レンジ加熱用容器が、内面にマイクロ波により発熱する発熱体を設けた１枚のブランクを用い、該ブランクを折り曲げて任意の横断面形状の箱型からなる容器本体と、該容器本体の上面開口を開閉可能に塞ぐ蓋体とを形成してなり、
容器本体を形成する側壁面部には側壁面部を相互に掛止める掛止受部と側壁掛止片とからなる側壁掛止部が形成され、
蓋体と該蓋体を拘束する側壁面部には掛止受部と蓋体掛止片とからなる蓋体掛止部が形成されていることを特徴とする請求項１に記載の電子レンジ加熱用容器。
【請求項３】
容器本体が立方体、直方体、その他の角柱体であって、切り取り線が、容器本体のコーナー部の全部又は一部に沿って形成されていることを特徴とする請求項１又は２に電子レンジ加熱用容器。
【請求項４】
電子レンジ加熱用容器が１枚のブランクを折曲げて立方体又は直方体となる容器本体と蓋体とからなっており、
該ブランクが、正方形又は長方形の底壁面部を中心に、その四辺を第１折り曲げ線としてそれぞれ第１から第４の４つの側壁面部を連接し、該第１から第４の側壁面部のいずれか１つに第２折り曲げ線を介して蓋体となる蓋体部を連接してなり、
容器本体組立時に隣接する側壁面部の一方に側壁掛止部の掛止受部が形成され、他方に上記掛止受部に掛止められる側壁掛止片を突設し、
蓋体部と容器本体組立時に蓋体部の自由端と重なる側壁面部との一方に蓋体掛止部の掛止受部が形成され、他方に上記掛止受部に掛止められる蓋体掛止片を突設し、
前記側壁掛止片と、該側壁掛止部が連設された側壁面部との間に折り曲げ線を兼ねる切り取り線が形成されていることを特徴とする請求項１から３のいずれかに記載の電子レンジ加熱用容器。
【請求項５】
蓋体部に連接した側壁面部を除く他の側壁面部に、前記蓋体部に連接した側壁面部の容器組立時の高さに相当する位置で折り曲げられて容器本体の開口を塞ぐ内折り片が連設されていることを特徴とする請求項４に記載の電子レンジ加熱用容器。
【請求項６】
容器本体が円柱状又は角柱状からなっており、
内容積が１８５ｃｍ３から２３０ｃｍ３の範囲内であって、
容器本体の高さが３０ｍｍから７０ｍｍの範囲内に設定されていることを特徴とする請求項１〜５のいずれかに記載の電子レンジ加熱用容器。
【請求項７】
穀物粉含有生地中の油脂と水分の配合が、穀物類の粉末を１００とした場合に、油脂が０〜３０、水分が５０〜８０の範囲に設定されていることを特徴とする請求項１から６のいずれかに記載の電子レンジ加熱用容器。
【発明の詳細な説明】
【技術分野】
【０００１】
この発明は、パン生地などの穀物粉含有食品を電子レンジのマイクロ波により発熱するマイクロ波発熱体を使用して焼成するための電子レンジ加熱用容器に関するものである。
【背景技術】
【０００２】
電子レンジから発生するマイクロ波により発熱する発熱体（サセプター）を使用し、食品を焼成することによって電子レンジ加熱では困難とされる焼き目やクリスピーな（カリッとした）食感を食品に発生させる技術は知られており、現在まで、ピザやフライドポテト，唐揚げ，焼き魚や切り身用などに利用されている（例えば、実開平１−８２８２９号公報、特開２００６−７５６１７号公報、特開２００８−６２９９０号公報など）。
一方、冷凍ピザなどの食品を収納し、食感や風味を損なわないで、こんがりとしたピザ等の食品を得ることができる電子レンジ加熱用紙製トレーとして、特開２００５−８２１９７号が知られている。
上記構成では紙製トレー本体の底部には、シート状の基材の表面にマイクロ波発熱層を設け、当該マイクロ波発熱層上に紙基材を積層したサセプターが挿設してある。
しかし、この電子レンジ加熱用紙製トレーでは、焼成済みのピザの生地を冷凍したものを収納するため、焼成済みの生地の冷凍商品を電子レンジにて加熱するだけで食品が得られる反面、未焼成の生地原料を焼成する際に得られる焼立ての風味や食感は劣っており、またブラウニング（焼き目）を付けることはできなかった。
また、パン生地の場合、一般的にストレート法では、一次発酵工程と二次発酵工程と焼成工程とが必要とされており、また、冷凍保存している二次発酵が済んだパン生地又は半焼成したパン生地を解凍し、その後、数十分かけてオーブンにて焼成しているが、オーブンによる焼成には時間がかかり、電子レンジを用いて短時間に調理することができなかった。
そこで、パン生地などの穀物粉含有生地であって発酵後、未焼成のものを電子レンジのマイクロ波で短時間に焼成することができる容器の開発が待たれていた。
【先行技術文献】
【特許文献】
【０００３】
【特許文献１】特開平９−４００３１号公報
【特許文献２】特開２００１−１９０６２号公報
【特許文献３】特開２００５−８２１９７号公報
【発明の概要】
【発明が解決しようとする課題】
【０００４】
本発明者らは、上記事情に鑑みて鋭意研究開発の結果、本発明を創作したものであって、その主とする課題は、パン生地などの穀物粉含有食品を電子レンジのマイクロ波により短時間で加熱して、外観も食感も良く焼成することができる電子レンジ加熱用容器を提供することにある。
【課題を解決するための手段】
【０００５】
この発明は、上記課題を解決するために、
パン生地等を発酵させて冷凍した未焼成の穀物粉含有生地を電子レンジのマイクロ波で焼成するための電子レンジ加熱用容器において、
電子レンジ加熱用容器が、内壁面にマイクロ波により発熱する発熱体を一体に有する容器本体及び該容器本体の開口を開閉する蓋体と、該蓋体を容器本体に拘束する拘束部とを有し、
前記容器本体の側壁面に容器本体を展開状に切り開く切り取り線を設けており、
前記容器本体の内容積が、予め設定した電子レンジの加熱時間で前記穀物粉含有生地が焼成可能な容量に対応するように設定され、 
前記容器本体及び蓋体の内壁面は、容器本体内で発酵し膨張した前記未焼成の穀物粉含有生地を全面を囲繞しほぼ隙間無く密着するように形成されていることを主たる特徴とする。
【発明の効果】
【０００６】
（１）本発明の電子レンジ加熱用容器は、箱型に組み立てられた容器本体と蓋体とからなり、開閉可能な蓋体を用いることで、容器内を確認をして再加熱することができる。
この電子レンジ加熱用容器は、短時間でパン生地等の発酵させて冷凍した未焼成の穀物粉含有生地を焼成しうる容量に対応した内容積を有しており、膨張した生地が内壁面に密着しても、切り取り線を設けることで、焼成後に容器本体を切り開いて、焼成された食品を損傷せずに取り出すことができる。
（２）容器本体が角部を有する立方体、直方体、その他の角柱体の場合、切り取り線６は、側壁の全部又は一部の角部に沿って形成することで、容器本体を展開しやすくなる。
（３）略十字形状の１枚のブランクを折曲げて、隣接する側壁面部間は掛止受部に側壁掛止片を掛止めて連結し、蓋体部は、側壁面部との間で掛止受部に蓋体掛止片を掛止めて開閉可能に拘束し、前記側壁掛止片と側壁面部との間に切り取り線を設けることで、簡単な構成で容器を組立てることができ、調理後は容器本体の各側壁面部を切り離して展開することができる。
（４）側壁面部の上部に容器本体の開口を塞ぐ内折り片を設けることで、その上に蓋体部を重ねて拘束することで、膨張した生地の上面縁部を確実に抑えて焼成させることができる。
（５）電子レンジ加熱用容器は、接着剤を用いずに１枚のブランクを折曲げ、掛止めて箱型に成形してもよく、その場合、接着剤がマイクロ波の発熱で溶けて異臭を発生させることがない。
（６）容器本体が円柱状又は角柱状からなっており、内容積が１８５ｃｍ３から２３０ｃｍ３の範囲内であって、容器本体の高さが３０ｍｍから７０ｍｍの範囲内に設定することで、電子レンジによる５００Ｗの加熱で５分以内で発酵済みの冷凍したパン生地等の未焼成の穀物粉含有生地を焼成することができる。
【図面の簡単な説明】
【０００７】
【図１】実施例１の電子レンジ加熱用容器の展開図である。
【図２】電子レンジ加熱用容器の斜視図である。
【図３】容器本体を切り開いた状態を点線で示す説明図である。
【図４】側壁掛止片と切込線、蓋体掛止片と切込線の配置を変えた実施例２の電子レンジ加熱用容器の展開図である。
【図５】蓋体掛止片と切込線の異なる配置の実施例３の電子レンジ加熱用容器の展開図である。
【図６】実施例４の円柱状の容器を示す展開図である。
【図７】ブランクの部分断面を示す模式図である。
【図８】（ａ）は一次発酵した生地を容器本体内に充填した状態、（ｂ）は容器内発酵（二次発酵）させた状態、（ｃ）蓋体で密封した状態を示す断面図である。
【発明を実施するための形態】
【０００８】
この発明は、蓋体を有する箱型の容器の内壁面にマイクロ波で発熱する発熱体を一体に設け、未焼成の生地を略隙間無く密着させることで、電子レンジによる短時間での焼成を実現し、且つ容器本体に切り取り線を設けて内壁面に密着した状態で焼成した食品の損傷防止を実現した。
以下に、この発明の好適実施例について、図面を参照しながら説明する。
【実施例１】
【０００９】
［電子レンジ加熱用容器］
本実施例の電子レンジ加熱用容器１は、図８（ａ）で示すように、一次発酵したパン生地などの穀物粉含有生地２０を収納し、図８（ｂ）で示すように、容器本体２内で発酵（二次発酵）させ、次いで図８（ｃ）に示すように、容器本体２を蓋体３で閉じて封印し、冷凍した後に、電子レンジ（図示せず）のマイクロ波で焼成する一連の工程で使用することができる容器として用いられる。
【００１０】
そのため、二次発酵のための加熱工程（例えば２０〜４０℃）、冷凍保存工程（例えば−１８〜−３０℃程度）、電子レンジによるマイクロ波発熱体の発熱工程（例えば１００〜２５０℃程度）の各工程で使用でき、且つ使い捨てできる素材、本実施例では金属蒸着加工適性を有し、上記各工程に適用できる素材を前記容器のブランク１０の基台１０ａとして用いている（図７参照）。
例えば、紙、ポリエチレンテレフタレート、ポリブチレンテレフタレートなどのポリエステル等から成るフィルムやシートがブランクのシート状の基台として用いることができる。
【００１１】
該基台１０ａには、容器組立時に内壁面となる一側に、電子レンジから放射されるマイクロ波を吸収して熱を発生するマイクロ波発熱体１０ｂが一体に形成されている。
マイクロ波発熱体１０ｂは、基台１０ａに直接に、または基台１０ａに積層したＰＥＴ等のプラスチックフィルムないしシートにマイクロ波を吸収して熱を発生する公知のマイクロ波吸収材料を蒸着などによって付着させたサセプターを用いている。
【００１２】
サセプターはマイクロ波発熱体１０ｂの上にカバーとなるフィルム１０ｃを積層してもよい。
マイクロ波発熱体１０ｂは基台１０ａの全面に一連に形成されるものに限らず、全面に亘って部分的に形成されるものでもよい。
この発明では、その他、公知のサセプター構造を用いることができる。
【００１３】
前記ブランク１０は、接着剤を用いずに折曲げ又は掛止めて任意の横断面形状の箱型からなる容器本体２と、該容器本体２の開口を開閉する蓋体３とに形成され、該蓋体３を容器本体２に掛止める蓋体掛止部４が設けられた電子レンジ加熱用容器１が形成される。
そして、前記容器本体２の側壁面には、容器本体２を展開状に切り開くための切り取り線６が設けられる。
【００１４】
［容器本体］
容器本体２は、円形、楕円形、正方形、長方形、多角形、その他の任意の横断面形状の箱型から構成され、生地を収納する開口２ａを有している。
図２には、横断面正方形の直方体の例を図示する。
容器本体２の組立に際しては、隣接する側壁面部を係合する側壁掛止部５を設けることが好ましい。
側壁掛止部５は、側壁面部が１又は複数の場合、容器本体組立時に隣接する側壁面の一方に側壁掛止片５Ｂを設け、他方に掛止受部５Ａを設ければよい。
【００１５】
［蓋体］
蓋体３は、容器本体２の開口２ａを開閉するもので、この発明では容器本体２と別体の蓋体２を着脱する構成であっても、容器本体２の周壁を形成する側壁面部と一端が連設されて折曲げて使用する構成であってもよい。
【００１６】
［蓋体掛止部］
上記蓋体３は、容器本体２の開口２ａを閉じた際に蓋体３が容器本体２に掛止しうるように蓋体掛止部４が設けられる。
蓋体３は、掛止受部４Ａと蓋体掛止片４Ｂとからなる蓋体掛止部４の係脱で、容器本体２内の生地の焼成具合を視認して、必要な場合には再加熱できるように、開封し、再度封止しうる。
また、生地が開口２ａを超えて膨張しようとする場合には、掛止された蓋体３で膨張しようとする生地を容器本体２内に収まるように圧縮することもできる。
【００１７】
［切り取り線］  
切り取り線６は、ジッパー線や、ミシン目状の線のような線に限らず、切取りのきっかけ用に切り欠かれた切欠部などであってもよく、蓋体３は開くので、本実施例では、容器本体２の側壁面部を上下に切り開く切り取り線を例示したが、容器本体２から焼成された食品を取り出すことができれば、左右に切り開くものや斜めに切り開くものなど、どのような方向に切り開くものでもよし、蓋体３を含めて切り開くものでもよい。
【００１８】
また、切り取り線６は、容器本体２がコーナーを有する角筒形状の場合には、そのコーナー部の全部又は一部に沿って配置されるものでもよいが、コーナー部の有無にかかわらず、容器本体を展開状に切り開けるように、容器本体の中央を中心に側壁面部の外周に沿って適宜間隔を隔てて側壁面部の任意の個所に配置されるものでもよい。
【００１９】
前記容器本体２及び蓋体３の内壁面は、容器本体２内に収納した発酵し膨張した未焼成の穀物粉含有生地の外表面がほぼ隙間無く密着するように形成され、
容器本体２の内容積が、予め設定した電子レンジの加熱時間で前記穀物粉含有生地が焼成可能な容積に対応するように設定されている。
【００２０】
本実施例では、電子レンジ加熱用容器１は、一次発酵したパン生地等の穀物粉含有生地を充填し（図８（ａ）参照）、次いで、容器内で発酵微生物を活性化させて二次発酵（例えば２０℃〜４０℃で２０〜８０分程度）を行う（図８（ｂ）参照）。
上記容器内発酵により膨張した前記生地は、容器本体２の内壁面に略隙間無く密着し、蓋体３を閉じて生地の頂面も蓋体３の内壁面に略隙間無く密着するようにして、蓋体３を容器本体２に掛止部４で掛止める（図８（ｃ）参照）。
その後、使用時まで低温（例えば−１８℃以下）で冷凍保存される。
【００２１】
そして、容器１の内壁面の形状ないし内容積は、焼成する生地に対応するもので、該生地が予め設定した電子レンジの加熱時間で焼成可能な容量であって、且つ二次発酵に際して膨張したパン生地等の穀物粉含有生地の外表面が容器の各内壁面で囲繞されて各面にほぼ密着する形状に設定される必要がある。
容器内発酵して膨張した生地の外表面が、前記容器１の内壁面に略隙間無く密着させるためには、内壁面は平面又はなだらかな曲面が好ましいが段部が形成されるものでもよい。
また、容器本体は、圧縮された座布団様の形状は好ましくなく、底面に対応して一定範囲の高さを有することが好ましい。
【００２２】
本実施例では、生地にハニーブレッドを用いた場合を例示する。
生地の成分の一例を示すと、小麦粉１００とした場合、これに対してドライイースト２、塩２、砂糖５、バター１０〜２０、水６０〜７０の割合のものが焼きムラや乾燥を抑制するのに最適であるので、この配分例を用いた。
上記生地を５００Ｗの電子レンジで焼成する場合、生地重量が９０ｇ（容量１８５ｃｍ３）から１２５ｇ（２３０ｃｍ３）の範囲では、加熱時間が３分３０秒から４分３０秒で外観、食感ともに満足な結果が得られた。
尚、前記バターは油脂の一例として用いたものであり、他の油脂を用いても同様である。
そこで、５００Ｗの電子レンジ（インバーター式）で４分１０秒間焼成する場合、生地重量が１１０ｇが好適であったため、これを基準として容器形状を検討した。
【００２３】
上記生地重量に対応する容器１の内容積は２００ｃｍ３となる。
ここで、円柱、正四角柱、角柱の３種類について同一の内容積の容器１の高さを２０〜１００ｍｍの範囲で外観（焼成具合）と食感とを調べた結果、断面形状による差異はなく、容器の高さが３０〜７０ｍｍの範囲で良好であることが判明した。
従って、加熱時間を増減する場合であっても、これに対応して前記容器本体の内容積と容器本体の高さの比率に設定されていることが好ましい。
【００２４】
［ブランク］
図１に電子レンジ加熱用容器１のブランク１０の展開図を示す。
このブランク１０は、基台１０ａ上にマイクロ波発熱体１０ｂを一体成形したサセプターからなっており、展開時に、１枚の略十字形状の１枚のブランクからなっており、該ブランク１０を折曲げて立方体又は直方体となる容器本体２を組立蓋体３で封止することができる。
【００２５】
即ち、該ブランク１０は、正方形又は長方形の底壁面部１５を中心に、その四辺を折り曲げ線Ｌ１としてそれぞれ第１から第４の４つの側壁面部１１〜１４を連接し、該第１から第４の側壁面部１１〜１４のいずれか１つ（図示例では第２側壁面部１２）に折り曲げ線Ｌ２を介して組立時に蓋体３となる蓋体部１６を一連に連接した展開形状からなっている。
【００２６】
そして、前記折り曲げ線Ｌ１に沿って各第１から第４の側壁面部１１〜１４を起立させた容器本体組立時に隣接する側壁面部の一方に側壁掛止部５の掛止受部５Ａが形成され、他方に上記掛止受部５Ａに掛止められる側壁掛止片５Ｂを突設している。
本実施例では掛止受部５Ａが切込線からなっており、該切込線は、本実施例では対向する側壁面部（図示例では第３側壁面部１３と第４側壁面部１４）の両側縁部近傍に沿って直線状に延びる線本体５１と、その下端で外向きに直角に折れ曲がる下部折曲線５２と、上端で傾斜線を介して下部折曲線５２と反対方向に延びる上部折曲線５３とからなっている。
【００２７】
前記掛止受部５Ａが形成された側壁面部と容器本体組立時に隣接する側壁面部
（図示例では第１側壁面部１１と第２側壁面部１２）の両側縁部には、側壁掛止片５Ｂが形成されている。
該側壁掛止片５Ｂは、図示例の場合、斜めに延びて上方で傾斜角度が小さくなる方向に折れ曲がる導入片部５５と、該導入片部５５の上端からＶ字状に切り欠かれた掛止溝部５６と、該掛止溝部５６の内側の辺を導入片部５５より長く延ばし傾斜して側壁面部に繋がる連設片部５７とからなっている。
【００２８】
そして、側壁面部の内壁面側から前記導入片部５５が線本体５１に差し込まれ、引き戻すことで掛止溝部５６が前記上部折曲線５３に掛止し、第１側壁面部１１及び第２側壁面部１２がそれぞれ隣接する第３側壁面部１３及び第４側壁面部１４に起立状で掛止されて、図２に示すように、接着剤を用いずに容器本体２が箱型に組み立てられる。
【００２９】
また、蓋体部１６と容器本体組立時に蓋体部１６の自由端縁部と重なる側壁面部の少なくとも１つ（図示例では第１側壁面部１１）との一方に蓋体掛止部４の掛止受部４Ａが形成され、他方に上記掛止受部４Ａに掛止められる蓋体掛止片４Ｂが折り曲げ線Ｌ４を介して突設されている。
図示例の場合、掛止受部４Ａは切込線からなっており、対向する蓋体部１６と連接した側壁面部（図示例では第２側壁面部１２）の上端と同じ高さとなるように配置されている。
【００３０】
そして、上記掛止受部４Ａの上方に幅狭な第１内折り片１１ａが連設されており、前記掛止受部４Ａの切込線４Ａを折り曲げ線として容器本体２の開口を塞ぐ方向に折れ曲がるようになっている。
本実施例では、これらの側壁面部１１、１２と隣接する側壁面部（図示例では第３側壁面部１３と第４側壁面部１４）にも、前記蓋体部１６と連接した側壁面部の上端と同じ高さとなる位置に折り曲げ線Ｌ３が形成され、その上端に幅狭な内折り片１３ａ、１４ａが連設されており、前記折り曲げ線Ｌ３に沿って内折り片１３ａ、１４ａを容器本体２の開口を塞ぐ方向に折れ曲げるようになっている。
【００３１】
そして、前記内折り片１１ａ、１３ａ、１４ａをそれぞれ容器組立時の開口２ａ側に折曲げ、第１側壁部１１の切込線の掛止受部４Ａを上端で開口させ、蓋体部１６を第２側壁１２との折り曲げ線Ｌ２に沿って折曲げ、蓋体部１６の三方の縁部側を前記内折り片１１ａ、１３ａ、１４ａの上に重ねて開口２ａを塞ぎ、蓋体掛止片４Ｂを掛止受部４Ａに挿入して蓋体部１６を第１側壁部１１に掛止めることができる（図８（ｃ）参照）。
【００３２】
そして、前記４つの側壁掛止片５Ｂと、該側壁掛止片５Ｂが連設された側壁面部、本実施例では第１側壁面部１１と第２側壁面部１２との間で容器組立時にコーナーとなる折り曲げ線位置に、容器本体２を切り開くための切り取り線６が形成されている。
従って、切り取り線６は側壁掛止片５Ｂの折り曲げ線を兼用している。
本実施例では、切り取り線６として１条の線ファスナー（ジッパー線）が設けられている。
【００３３】
ブランク１０は、上記構成からなるので、底壁面部１５を中心にして四辺に沿った折り曲げ線Ｌ１にて第１〜第４側壁面部１１〜１４を垂直に折曲げ、前記側壁掛止用の掛止受部５Ａに側壁掛止片５Ｂを掛止めて上面が開口する容器本体２を組み立てる。
【００３４】
また、前記内折り片１１ａ、１３ａ、１４ａをそれぞれ開口２ａ側に折曲げ、第１側壁部１１の掛止受部４Ａの切込線を上端で開口させ、蓋体部１６を第２側壁１２との折り曲げ線Ｌ２に沿って折曲げ、蓋体部１６の三方の縁部側を前記第１及び第２内折り片１１ａ、１３ａ、１４ａの上に重ねて開口を塞ぎ、折り曲げ線Ｌ４に沿って折り曲げた蓋体掛止片４Ｂを切込線４Ａに挿入して蓋体部１６を第１側壁部１１に掛止めることができる。
【００３５】
上記実施例では、１枚のブランクを用いた場合を例示したが、複数のブランクを掛止めて容器本体を形成するものでもよい。
また、蓋体３は容器本体２の開口２ａを塞ぐものであればよく、容器本体２の開口レベルを超えて膨張した生地が蓋体を容器本体から外さないように係止されていればよい。
【００３６】
そして、焼成後には、図３に点線で示すように、蓋体３で塞がれた容器本体２を、前記切り取り線６に沿って切り開くことで、内壁面に密着した状態で焼成された食品を傷つけずに容器１から取り出して、食用に供することができる。
【実施例２】
【００３７】
前記掛止受部５Ａと側壁掛止片５Ｂ、掛止受部４Ａと蓋体掛止片４Ｂとは、相互に逆に取り付けられる構成であってもよい。
図４では、側壁面部の掛止受部５Ａを第１側壁面部１１と第２側壁面部１２に設け、側壁掛止片５Ｂを第３側壁面部１３と第４側壁面部１４に設けている。
また、蓋体３の掛止受部４Ａを蓋体部１６に形成し、蓋体掛止片４Ｂを第１側壁面部１１に設けている。
この場合も、前記実施例と同様に掛止を行うことができる。
その他の構成は前記実施例１と同様であるので、その説明を省略する。
【実施例３】
【００３８】
図５には、蓋体３の掛止受部４Ａと蓋体掛止片４Ｂの異なる実施例を実施例１の構成を基にして示す。
前述のように、蓋体掛止部４は、蓋体部１６の自由端縁部に形成することができる。
【００３９】
そこで、蓋体部１６の左右の側縁部に蓋体掛止片４Ｂを形成し、第３側壁面部１３と第４側壁面部１４の折り曲げ線Ｌ３に替えて、折り曲げ線を兼ねる掛止受部４Ａを形成してもよい。
掛止受部４Ａと蓋体掛止片４Ｂの配置は逆であってもよい。
本実施例では蓋体掛止部４が３個所形成されたが、数は問わない。
その他の構成は前記実施例１と同様であるので、その説明を省略する。
【実施例４】
【００４０】
図６には電子レンジ加熱用容器１は、横断面が楕円形状の場合の一例を示す。
このブランク１０では、横一連に延びる側壁面部１７が連設されており、その中間位置で上下に蓋体部１６と底壁面部１５とが折り曲げ線Ｌ１’を介して連設されている。
そして、側壁面部１７の基端側と先端側には、側壁掛止部５の掛止受部５Ａと側壁掛止片５Ｂとが形成されており、側壁面部１７を丸めて隣接する両端側を掛け止めて円環状の筒体とすることができる。
【００４１】
また、前記側壁面部１７の筒体組立時に上方となる側壁面部１７の縁部には、一対の内折れ片１７ａを突設し、該内折れ片１７ａの折り曲げ線を兼ねる位置に切込線からなる蓋体３の掛止受部４Ａを形成している。
一方、蓋体部１６には、その外周に沿って前記掛止受部４Ａに対応する個所に掛止受部４Ａに掛止められる蓋体掛止片４Ｂが突設されており、蓋体部１６を側壁面部１７の上面に掛止め係止することができる。
【００４２】
同様に、前記側壁面部１７の筒体組立時に下方となる側壁面部１７の縁部には、一対の内折れ片１７ｂを突設し、該内折れ片１７ｂの折り曲げ線を兼ねる位置に切込線からなる底壁面部１５の掛止受部４Ａ’を形成している。
一方、底壁面部１５には、その外周に沿って前記掛止受部４Ａ’に対応する個所に掛止受部４Ａ’に掛止められる底壁掛止片４Ｂ’が突設されており、底壁面部１５を側壁面部１７の底面に掛止め係止することができる。
本実施例でも、蓋体部の掛止受部４Ａと蓋体掛止片４Ｂ、底壁面部の掛止受部４Ａ’と蓋体掛止片４Ｂ’とは、その配置を逆にしてもよく、同様に掛止めることができる。
【００４３】
本実施例では、切り取り線６として一対の線ファスナーを前記蓋体部１６及び底壁面部１５を連接した上下の折曲げ線Ｌ１’の間に形成し、上部に切り裂きのきっかけ片１６ａを設けたが、切り取り線６は容器本体２を切り開き蓋体３を外すことができるものであればよく、図示例に限らず種々の形状を用いることができる。
また、上記実施例では、１枚のブランクを接着剤を用いずに折曲げ、掛け止めて箱型に形成した場合を例示したが、この発明では１枚又は複数枚のブランクを接着剤を用いて箱型に形成するものであってもよい。
その他、この発明は上記実施例に限定されず、その他、要するにこの発明の要旨を変更しない範囲で種々設計変更しうること勿論である。
【符号の説明】
【００４４】
１    電子レンジ加熱用容器
２    容器本体
２ａ  開口
３    蓋体
４    蓋体掛止部
４Ａ  掛止受部
４Ｂ   蓋体掛止片
５    側壁掛止部
５Ａ  掛止受部
５Ｂ  側壁掛止片
６    切取り線
１０    ブランク
１０ａ  基台
１０ｂ  マイクロ波発熱体
１１    第１側壁面部
１１ａ  第１内折り片
１２    第２側壁面部
１３    第３側壁面部
１３ａ  第２内折り片
１４    第４側壁面部
１４ａ  第２内折り片
１５    底壁面部
１６    蓋体部
２１    側壁掛止用の切込線
５１    線本体
５２    下部折曲線
５３    上部折曲線
５５    導入片部
５６    掛止溝部
５７    連設片部
【図１】
2013224165.tif 000003
【図２】
2013224165.tif 000004
【図３】
2013224165.tif 000005
【図４】
2013224165.tif 000006
【図５】
2013224165.tif 000007
【図６】
2013224165.tif 000008
【図７】
2013224165.tif 000009
【図８】
2013224165.tif 000010